(57)【要約】【課題】  所持する者にとって秘匿物であることの判別が容易かつ小型であり、しかも気のきいた秘匿物収納具を提供すること。【解決手段】  コンドーム，医薬品，貴金属，宝石，アクセサリー，記録済み記録媒体等の秘匿物２をカイコの繭製カプセル１内部に取り出し可能に収納したことを特徴とする。【選択図】図１
0003126181.tif 000002
【実用新案登録請求の範囲】
【請求項１】
コンドーム，医薬品，貴金属，宝石，アクセサリー，記録済み記録媒体から選ばれる一つの秘匿物（２）をカイコの繭製カプセル（１）内部に取り出し可能に収納したことを特徴とする秘匿物収納具。
【請求項２】
横断分割して得られるボディ部（１ａ）とキャップ部（１ｂ）とを開口部において嵌合した繭製カプセルを採択してなる請求項１に記載の秘匿物収納具。
【請求項３】
繭製カプセル（１）内部に芳香剤（４）を収納した請求項１または請求項２に記載の秘匿物収納具。
【請求項４】
ボディ部（１ａ）とキャップ部（１ｂ）とを開口部においてテーパー嵌合するように構成した収納用繭製カプセル。
【請求項５】
色彩を施した繭体を採択してなる請求項４に記載の収納用繭製カプセル。
【考案の詳細な説明】
【技術分野】
【０００１】  本考案は、カイコの繭製カプセル内部に秘匿物を収納した秘匿物収納具および秘匿物の収納に適する繭製カプセルに関するものである。
【背景技術】
【０００２】  コンドームはエイズ等の伝染病予防あるいは避妊用として重要であり、伝染病予防および避妊を一層確実にするためには、コンドームを常時使用可能な状態に携帯することが効果的である。従来技術としては、携帯用ティッシュペーパー，小型菓子箱，ライター等に付属的に収納することが知られている。【０００３】  発作時あるいは定期的に服用する持病用の医薬品，貴金属，宝石，アクセサリー，記録済み記録媒体等の秘匿物についても、内容物が視認できないように、その都度包装し、あるいはケースに入れる等の工夫がなされている。
【考案の開示】
【考案が解決しようとする課題】
【０００４】  従来技術によれば、携帯品に付属させることは、携帯品を必要としない場合に比較して外形が嵩む不利があり、また秘匿物が外見上判別されないように包装するためには、格別な工夫が必要である。その他、発作時に服用する医薬品，貴金属，宝石，アクセサリー，記録済み記録媒体等の秘匿物は、自分自身が頻繁に確認することが少ない関係上、その所在を忘失し易い傾向がある。【０００５】  そこで本考案の目的は、所持する者にとって秘匿物であることの判別が容易かつコンパクトで、しかも気のきいた秘匿物収納具を提供すること、また、秘匿物の収納に適し、しかも取り扱い便利な繭製カプセルを提供することにある。
【課題を解決するための手段】
【０００６】  上記目的を達成するため、請求項１の考案は、コンドーム，医薬品，貴金属，宝石，アクセサリー，記録済み記録媒体から選ばれる一つの秘匿物をカイコの繭製カプセル内部に取り出し可能に収納したことを特徴とする秘匿物収納具であり、請求項２の考案は、横断分割して得られるボディ部とキャップ部との二つの繭体を開口部において嵌合した繭製カプセルを採択してなる請求項１に記載の秘匿物収納具であり、また、請求項３の考案は、繭製カプセル内部に芳香剤を収納した請求項１または請求項２に記載の秘匿物収納具である。【０００７】  請求項４の考案は、横断して得られるボディ部とキャップ部との二つの繭体を開口部においてテーパー嵌合するように構成した収納用繭製カプセルであり、また、請求項５の考案は、色彩を施した繭体を採択してなる請求項４に記載の収納用繭製カプセルである。
【考案の効果】
【０００８】  請求項１の考案によれば、秘匿物の携帯を不用意に他人に気付かれることなく携帯することができるばかりでなく、繭製カプセル自体がコンパクトであるから、衣服のポケットあるいはハンドバッグ等に収容して安易に所持することができ、かつ意匠効果も優れており、特に一見して気付かれるコンドームおよび持病が気付かれ易い医薬品を体裁よく秘匿状態に所持するのに好都合である。【０００９】  請求項２の考案によれば、横断分割した繭体を互いの開口部において嵌脱するようにしたから、これにより秘匿物を容易に出し入れすることができると共に、反復使用が可能である。【００１０】  請求項３の考案によれば、繭製カプセル内部に秘匿物と併せて芳香剤を収納したから、芳香剤の持続性と繭体による放出調整作用とが相俟って、長期にわたり安定的な香気の供給を実現するという携帯型芳香具としての機能を併せもつほか、芳香具を装い秘匿物の所持をカムフラージュすることができる効果がある。【００１１】  請求項４の考案によれば、二つの繭体を開口部においてテーパー嵌合するように構成したから、テーパーによる確実な嵌合作用と、繭体表面の適度な摩擦作用とにより、安定的な嵌合が得られる。また、請求項５の考案によれば、色彩を施したことにより、複数の繭製カプセルを所持する場合に、収納品別に色彩により区別して収納することができ、従って色彩により内部の収納品を容易に判別することができ至便である。【００１２】  繭製カプセルは、小物の収納に好適な大きさであるばかりでなく、芳香剤を併せて収納する場合には、天然の風合いによる意匠効果と芳香効果との相乗作用により、優れた実用価値と装飾価値とが同時に期待できる。
【考案を実施するための最良の形態】
【００１３】  以下、本考案の実施形態を図面に基づき詳細に説明する。大体において、図１に示すように繭製のカプセル１の内部に秘匿物２を収納するのであって、カプセル１としては、同図１に示すように内部の蛹を除去したカイコの繭を中央付近において横断して二分割し、一方をボディ部１ａとし、他方をキャップ部１ｂとしてこれらボディ部１ａとキャップ部１ｂとをその開口部において嵌脱自在にテーパー嵌合するようにし、これにより医薬用のハードカプセルと同様な構成のカプセル１とする。なお、図２に示すように、２個の繭を使用して１個のカプセルを構成してもよく、即ち１個の繭をほぼ中央部において横断分割してその１つをキャップ部１ｂに充当し、かつ別に繭を約１：２の割合のもとに横断分割してその大きい方の部分をボディ部１ａに充当し、これらボディ部１ａとキャップ部１ｂとをそれらの開口部において嵌脱自在にテーパー嵌合して繭製カプセル１とする。【００１４】  図１に示すように繭を中央付近において横断して二分割した場合は、ボディ部１ａの開口部を少し縮径し、あるいはキャップ部１ｂの開口部を少し拡径し、あるいはキャップ部１ｂとボディ部１ａとの開口部を各別に少し拡縮することが重要である。なお、図２に示すように、２個の繭を使用して１個のカプセルを構成する場合は、開口部の拡縮を省略することができ、かつ３個の繭を使用して２組の繭製カプセル１を得ることができる。【００１５】  前記カプセル１は、染色または着色して装飾性を向上すると共に、色彩毎に用途を指定して収納物を色彩により識別することができるようにするのが便利である。また、ボディ部１ａとキャップ部１ｂとに別個の色彩を施してもよい。【００１６】  上記繭製カプセル１内部に収納する秘匿物２としてのコンドームは、例えば図３のように巻き上げたリング状部を横から押して細長い長円にした後、中央で折り曲げた状態のもとに、包装袋３内にほぼ短柱状にコンパクトに密封するのがよく、秘匿物２としての包装済みコンドームをボディ部１ａ内部に収納した後にキャップ部１ｂを被せ掛けて嵌合する。秘匿物２を取り出すに当たっては、キャップ部１ｂを引き外して秘匿物２を引き出せばよい。コンドーム以外の秘匿物２の収納および取り出しにおいても、前記と同様にすればよい。【００１７】  秘匿物２としては、医薬品，貴金属，宝石，アクセサリー，記録済み記録媒体等、種々のものが適用できるが、医薬品としては、例えば心臓病の薬，精神病の薬，座薬，避妊薬，強精剤等があり、記録済み記録媒体としては、例えばＩＣチップ，小型の各種メモリーカード，小型の各種メモリースティック，磁気テープ，マイクロフィルム，文書等が挙げられる。【００１８】  図１に示すように、繭製カプセル１の内部に秘匿物２と併せて芳香剤４を収納してもよく、繭製カプセル１が有する放出調整作用により、長期にわたり安定的な香気の供給を実現するという携帯型芳香具としての機能を発揮し、しかも芳香具を装い秘匿物２の所持をカムフラージュするのに好適である。芳香剤４としては、例えば粒径が５〜７ｍｍのケイ酸カルシウム等のセラミック製多孔体に香料を含浸させたものを１〜２個収納するのがよく、芳香の徐放に好都合であるほか、取り扱いに便利である。【００１９】  セラミック製多孔体としては、吸液量が多いケイ酸カルシウムが望ましく、種々の形態のケイ酸カルシウムの中でも、微小鱗片または微小薄片の集合状態のケイ酸カルシウムは自重の５０％ないし７０％の香料を含有させることができる関係上特に好ましい。ケイ酸カルシウム以外のセラミック製多孔体としては、バーミキュライトを採択し、あるいは真珠岩，松脂岩等を粉砕して焼成したパーライト等を採択することができ、バーミキュライト，パーライト両者共に連通気孔を有し吸液量が多い。
【図面の簡単な説明】
【００２０】
【図１】  本考案の秘匿物収納具の一実施形態を示す破断側面図である。
【図２】  カプセルの他の実施形態における製作過程を示す破断側面図である。
【図３】  コンドームの包装の実施形態を示す側面図である。
【符号の説明】
【００２１】    １  繭製カプセル
１ａ  ボディ部
１ｂ  キャップ部
２  秘匿物
３  包装袋
４  芳香剤
【図１】
0003126181.tif 000003
【図２】
0003126181.tif 000004
【図３】
0003126181.tif 000005